(57)【要約】【課題】複数の画像再生装置による画像再生が可能であって、画像再生装置に正しい画像信号が入力されなかった場合に、ユーザに適正な操作を行うように促すことで、正しい画像表示を行うができる画像再生システム及び画像再生装置を提供すること。【解決手段】第１の画像再生装置１０が有するモニタ１５の表示内容と同一の内容を第２の画像再生装置２０によって再生する際に、第１の画像再生装置から第２の画像再生装置２０に入力された画像が適正な画像であるか否かを第２の画像再生装置２０側で判定し、適正な画像信号でないと判定された場合に、ユーザに対して警告を行うようにする。【選択図】図１
2006065095.tif 000002
【特許請求の範囲】
【請求項１】
画像信号を再生して画像を表示する第１の画像再生手段と、
上記画像信号を再生して画像を表示する第２の画像再生手段と、
上記画像信号が適正な画像信号であるか否かを判定する適正判定手段と、
を具備し、
上記第１の画像再生手段は、上記適正判定手段の判定結果に応じて上記画像とともに付加情報を更に表示することを特徴とする画像再生装置。
【請求項２】
上記画像信号における無信号部を検出する検出手段を更に具備し、
上記適正判定手段は、上記検出手段で検出された上記無信号部が所定の条件を満たしているか否かを判定することにより、上記画像信号が適正な画像信号であるか否かを判定することを特徴とする請求項１に記載の画像再生装置。
【請求項３】
上記所定の条件は、上記検出手段によって検出された上記無信号部の形状が所定の縦横比を有する長方形形状であることを特徴とする請求項２に記載の画像再生装置。
【請求項４】
上記所定の条件は、画像の切り換え時にも上記無信号部が変化しないことであることを特徴とする請求項２に記載の画像再生装置。
【請求項５】
上記第１の画像再生手段は、上記適正判定手段によって上記画像信号が適正な画像信号でないと判定されたときに、上記付加情報を表示することを特徴とする請求項１に記載の画像再生装置。
【請求項６】
上記付加情報は、警告情報を含むことを特徴とする請求項１に記載の画像再生装置。
【請求項７】
画像信号を再生して画像表示を行う第１の画像再生手段と、上記画像信号を出力する出力手段と、を具備する第１の画像再生装置と、
上記画像信号が入力される入力手段と、上記入力手段に入力された上記画像信号が適正な画像信号であるか否かを判定する適正判定手段と、上記適正判定手段により上記画像信号が適正な信号でないと判定された場合に、上記入力手段に入力された上記画像信号を再生して画像を表示するとともに、警告表示を行う第２の画像再生手段と、を具備する第２の画像再生装置と、
上記出力手段から出力された上記画像信号を上記入力手段に入力する通信手段と、
を有することを特徴とする画像再生システム。
【請求項８】
上記通信手段は、上記適正判定手段により上記画像信号が適正な信号でないと判定された場合に、上記画像信号が適正な信号でないことを示す信号を上記第２の画像再生装置から上記第１の画像再生装置に入力することを更に行い、
上記第１の画像再生手段は、上記通信手段から上記画像信号が適正な信号でないことを示す信号が入力された場合に上記画像表示の際に更に警告表示を行うことを特徴とする請求項７に記載の画像再生システム。
【発明の詳細な説明】
【技術分野】
【０００１】
本発明は、画像再生装置及び画像再生システムに関し、特に、複数の画像再生装置で同時に画像の再生を行うことができる画像再生装置及び画像再生システムに関する。
【背景技術】
【０００２】
複数の画像再生装置を接続して、これら複数の画像再生装置で同時に画像の再生を行う、所謂マルチモニタシステムという技術がある。このようなマルチモニタシステムとしては、例えばパーソナルコンピュータ（ＰＣ）やＰＤＡなどの比較的小さな表示画面を持つ画像再生装置を、大画面による表示が可能なフロントプロジェクタのような別の画像再生装置に接続して、ＰＣなどの画面上に表示されている内容を多くの人達で鑑賞できるようにするシステムがある。
【０００３】
また、このようなマルチモニタシステムに関する技術は、モニタ技術の１つのトレンドであり、幾つかの提案がなされている。
【０００４】
例えば、特許文献１では、複数のモニタのそれぞれにＩＤをつけておき、ＩＤを識別することによって複数のモニタの中から特定のモニタを選択して、その選択されたモニタの表示を制御するようにしている。
【０００５】
また、特許文献２では、ＲＧＢ出力信号の振幅ピーク値に応じてゲインをかけるようにして、複数種類のモニタを含むシステムに対応できるようにしている。
【特許文献１】特開２００３−３１６３４０号公報
【特許文献２】特開平１１−１３３９０７号公報
【発明の開示】
【発明が解決しようとする課題】
【０００６】
上記の例のように、ＰＣをフロントプロジェクタなどの別の画像再生装置に接続して、ＰＣのモニタ上に表示されている内容をフロントプロジェクタで再生する場合に、ＰＣからフロントプロジェクタに適正な画像信号が入力されずに、フロントプロジェクタによって正しい画像再生が行われない場合がある。これは、ＰＣ側のハードウェアが、小型化や低コスト化のために、必ずしもどのような状況でもフロントプロジェクタの表示駆動を行えることができるように構成されているとは限らないためである。
【０００７】
このような状況は、ユーザが適正な操作を行った状態でＰＣとフロントプロジェクタとを接続することで防止することができるが、多くのユーザはこのような操作を行うことなく接続をしてしまうので、不満を持つことも多い。
【０００８】
ここで、特許文献１の手法においては、複数のモニタの表示を制御することが可能であるが、選択されなかったモニタに関しては、何が起ったのか分からない。また、特許文献２の手法は、正しいＲＧＢ信号が入力された時のみに有効な技術であり、上記のように適正でない画像信号が入力されたときの対策については言及されていない。
【０００９】
本発明は、上記の事情に鑑みてなされたものであり、複数の画像再生装置による画像再生が可能であって、画像再生装置に正しい画像信号が入力されなかった場合に、ユーザに適正な操作を行うように促すことで、正しい画像表示を行うができる画像再生システム及び画像再生装置を提供することを目的とする。
【課題を解決するための手段】
【００１０】
上記の目的を達成するために、本発明の第１の態様による画像再生装置は、画像信号を再生して画像を表示する第１の画像再生手段と、上記画像信号を再生して画像を表示する第２の画像再生手段と、上記画像信号が適正な画像信号であるか否かを判定する適正判定手段とを具備し、上記第１の画像再生手段は、上記適正判定手段の判定結果に応じて上記画像とともに付加情報を更に表示することを特徴とする。
【００１１】
この第１の態様によれば、適正判定手段において画像信号が適正な信号でないと判定された場合に第１の画像再生手段による画像表示の際に更に付加情報が表示される。
【００１２】
上記の目的を達成するために、本発明の第２の態様による画像再生システムは、画像信号を再生して画像表示を行う第１の画像再生手段と、上記画像信号を出力する出力手段と、を具備する第１の画像再生装置と、上記画像信号が入力される入力手段と、上記入力手段に入力された上記画像信号が適正な画像信号であるか否かを判定する適正判定手段と、上記適正判定手段により上記画像信号が適正な信号でないと判定された場合に、上記入力手段に入力された上記画像信号を再生して画像を表示するとともに、警告表示を行う第２の画像再生手段と、を具備する第２の画像再生装置と、上記出力手段から出力された上記画像信号を上記入力手段に入力する通信手段とを有することを特徴とする。
【００１３】
この第２の態様によれば、適正判定手段によって適正判定手段において画像信号が適正な信号でないと判定された場合に第２の画像再生手段による画像再生の際に警告表示がなされる。
【発明の効果】
【００１４】
本発明によれば、複数の画像再生装置による画像再生が可能であって、画像再生装置に正しい画像信号が入力されなかった場合に、ユーザに適正な操作を行うように促すことで、正しい画像表示を行うができる画像再生システム及び画像再生装置を提供することができる。
【発明を実施するための最良の形態】
【００１５】
以下、図面を参照して本発明の実施形態について説明する。
【００１６】
［第１の実施形態］
図１は、本発明の第１の実施形態に係る画像再生システムの構成図である。即ち、図１の画像再生システムは、比較的小画面のモニタを有するパーソナル用途向きの第１の画像再生装置１０と大型画面による画像再生が可能な第２の画像再生装置２０と、第１の画像再生装置１０と第２の画像再生装置２０との間でのデータ通信を行うための通信手段としての通信線１７とから構成されている。
【００１７】
このようなシステムの組合せは図２のような状況で利用される。図２の例は、第１の画像再生装置１０の一例としてのノートパソコン（ＰＣ）と第２の画像再生装置２０の一例としてのフロントプロジェクタとを接続することで、多くの人に見せることが困難なＰＣなどのモニタ１５上の表示内容をスクリーン３１上に投影した投影画面３０上に表示させているような状況を示している。図２のようにすることによって、ノートＰＣなどの表示内容を多くの人が同時に楽しむことができる。
【００１８】
以下、第１の画像再生装置１０をＰＣ１０、第２の画像再生装置２０のことをプロジェクタ２０として説明する。
【００１９】
図１において、ＰＣ１０は、ＣＰＵ１１と、操作部１２と、メモリ１３と、ビデオ回路１４と、第１の画像再生手段としてのモニタ１５と、切り換え部１６と、コネクタ１６ａとから構成されている。
【００２０】
操作部１２は、キーボードやマウス等で構成されている。操作部１２によって画像表示の指示がなされると、ＣＰＵ１１からの指示に従ってビデオ回路１４によりメモリ１３に格納された画像信号が読み出される。この読み出された画像信号に基づいて、ビデオ回路１４を介してモニタ１５上に画像表示が行われる。
【００２１】
ここで、ビデオ回路１４は２通りの出力モードを有しており、これら２通りの出力モードは切り換え部１６のスイッチ状態により切り換えられる。切り換え部１６のスイッチ状態は、ＣＰＵ１１によって切り換えられるものである。ＣＰＵ１１に対する切り換え部１６のスイッチ状態の切り換え指示は操作部１２を介して与えることができる。
【００２２】
図１において、切り換え部１６がＡ接点側に切り換えられると、コネクタ１６ａに対して専用に画像信号が出力される。このとき、図２のようにＰＣ１０とプロジェクタ２０とが接続されていれば、コネクタ１６ａを介してプロジェクタ２０に画像信号が入力される。ここで、ＰＣ１０からプロジェクタ２０に入力される画像信号には、コンポジットビデオ信号、アナログＲＧＢ信号、デジタルＲＧＢ信号等がある。
【００２３】
一方、切り換え部１６がＢ接点側に切り換えられると、モニタ１５とコネクタ１６ａとに同時に画像信号が出力される。これにより、ＰＣ１０とプロジェクタ２０とで同時に画像を再生することが可能である。
【００２４】
図１に示すプロジェクタ２０は、コネクタ２１と、画像変換回路２２と、画像形成回路２３と、表示素子２４と、ランプ２５と、光源制御回路２５ａと、投影レンズ２６と、適正判定手段としての制御回路２７と、スイッチ２７ａと、検出手段としての黒部検出回路２８と、メモリ２９とから構成されている。ここで、画像変換回路２２、画像形成回路２３、表示素子２４、ランプ２５、メモリ２９などで第２の画像再生手段を形成している。
【００２５】
ＰＣ１０から通信線１７を介してプロジェクタ２０に入力された画像信号は、コネクタ２１を介して画像変換回路２２に入力される。画像変換回路２２は、上述した種々の画像信号を後段の画像形成回路２３に導くためのものであり、アナログ信号をデジタル信号に変換するＡ／Ｄコンバータや、画像信号のどのタイミングの信号が後述する表示素子のどの画素に対応する部分の信号であるかを決定する決定回路等から構成されている。画像形成回路２３は、所謂ＤＭＤ（デジタルミラーデバイス）やＬＣＤ等の表示素子２４の各画素を制御して表示素子２４上に画像を形成するための回路である。表示素子２４上で形成された画像はランプ２５の強い光を受け、その結果、投影レンズ２６を介してスクリーン３１上に投影画面３０が投影される。また、ランプ２５は、光源制御回路２５ａによって所定の明るさに駆動制御される。
【００２６】
また、制御回路２７は、ユーザからの各種操作指示を、スイッチ２７ａを介して検出し、検出した指示の内容に従って、プロジェクタ２０の各回路をシーケンシャルに制御する。また、制御回路２７は、黒部検出回路２８の検出結果に従って、メモリ２９内に格納された所定の画像データや文字データ等を表示画像に重ね合わせたりする際の制御を行う。更に、制御回路２７は、ＰＣ１０内部のＣＰＵ１１と通信可能に構成されており、黒部検出回路２８の検出結果をＣＰＵ１１に送信する。ここで、黒部検出回路２８の働きについては後述する。
【００２７】
ここで、ＰＣ１０とプロジェクタ２０とで同時に画像を再生する場合に、再生する画像の内容によっては、プロジェクタ２０側における画像再生の際に、思いどおりに画像が再生されない場合がある。上述したように、ＰＣ１０からプロジェクタ２０に出力される画像信号には、コンポジットビデオ信号やアナログＲＧＢ信号、デジタルＲＧＢ信号等があるが、画像信号の振幅がそのまま明るさに比例するようなコンポジットビデオ信号やアナログＲＧＢ信号においても、シリアルデータでＲＧＢ信号が出力されるデジタルＲＧＢ信号においても、高速で画像が変化する動画などの場合には、その変化のスピードに回路が追従できなくなることが多い。
【００２８】
特に、ＰＣ１０のモニタ１５とプロジェクタ２０とを共に制御しようとするとビデオ回路１４の駆動能力不足により、プロジェクタ２０側の入力回路を制御することができず、結果として投影画面３０上に画像が表示されずに、黒い画面となってしまう事がある。例えば、図３（ａ）のようにして写真画像３０ｂや棒グラフ画像３０ｃなどの静止画に加えて、さらに動画３０ｄを表示させてプレゼンテーションを行うような場合、ＰＣ１０のモニタ１５上には正しく図３（ａ）のように表示されるものが、プロジェクタ２０によって投影される投影画面３０上では、図３（ｂ）に示すように動画３０ｄの部分が黒い画面となってしまうことがある。
【００２９】
図４（ａ）は、投影画面３０上に図３（ａ）のような画像が表示されている時の画像信号波形を、コンポジットビデオ信号を例にして示した図である。ここで、図４（ａ）の例は、図３（ａ）の破線部に対応する画像信号波形である。図４（ａ）の例では、画像信号の波形が画像の明るさの変化をあらわすような形で、静止画部と動画部とが水平同期信号に続いて出力される。
【００３０】
これに対し、投影画面３０上に図３（ｂ）のような画像が表示されている時の画像信号波形を図４（ｂ）に示す。図３（ｂ）のような場合では、動画３０ｄの部分が表示されないので、画像信号としては図４（ｂ）のように所定区間無信号部を生じる。
【００３１】
そこで、第１の実施形態では、プロジェクタ内部の黒部検出回路２８によって、上記図３（ｂ）の黒い画面の部分を検出できるようにしている。以下、黒部検出回路２８の働きについて説明する。なお、ここではコンポジットビデオ信号の例について説明する。
【００３２】
図５は、画面内における画像信号波形の例を示す図である。図５においては、複数の水平方向走査の波形が何本も集まって１つの画面を形成する様子を示している。ここで、波形１０１〜１０５はそれぞれ画面の上部方向から下部方向に対応する波形を示している。図３（ｂ）の例では、上下の端部には静止画部しかないので、図５において、画面の上部及び下部に対応する波形１０１や波形１０５には無信号部が存在しない。一方、動画投影の所定区間には無信号部が現れる。即ち、波形１０２〜波形１０４から、画面横方向の無信号部と画面縦方向の無信号部の幅を検出することができる。このときの画面左右方向の無信号部と画面上下方向の無信号部との比率によって、単なる「黒い画像を表示するための無信号部」ではなく、画面内において「正しく表示を行うことができていない部分」を検出することができる。ここで、上記比率とは、一般的なＰＣの画面比の３：４や、フィルムの比率２：３やハイビジョンサイズ等に相当するもので、このような縦横比を有する長方形の黒い画面の部分の存在は不自然であるとし、正しく表示が行われていない部分（以下、単に黒部と称する）であると考える。
【００３３】
また、画像信号がアナログＲＧＢ信号の場合には、垂直同期信号によって１本の水平走査方向の信号レベルの変化が分かる。ここで、図６に示すアナログＲＧＢ信号では、水平同期信号と共にＲＧＢの各色の明るさが変化する。即ち、黒部に対応する部分では、ＲＧＢの３色共に図６のような無信号部分を生じる。
【００３４】
このような考え方は、図７のようなデジタルＲＧＢ信号でも同様であり、ＲＧＢ各色共に同じ周期で無信号部が現れるようであれば、その無信号部の幅を検出し、検出した無信号部が何周期にわたって現れるかを判定することによって、上記黒部の判定が可能である。
【００３５】
このような黒部の判定は、具体的には制御回路２７をマイクロコンピュータ等で構成して図８のような処理を行わせれば良い。また、黒部検出回路２８は、ＰＣ１０からの入力画像信号がアナログ信号の時にはＡ／Ｄコンバータやコンパレータで構成し、ＰＣ１０からの入力画像信号がデジタル信号の時には、デジタル信号デコーダ等で構成すればよい。
【００３６】
図８は、制御回路２７によって制御される黒部判定の処理手順について示したフローチャートである。なお、図８の例では、水平同期信号がある信号が入力された例を示す。
【００３７】
図８において制御回路２７は、無信号部の幅を検出するための変数であるｘ及びｙ０と、１画面内の走査線数のカウント値であるｙを０にリセットする（ステップＳ１１）。
【００３８】
次に、制御回路２７は、水平同期信号が入力されたか否かを判定し（ステップＳ１２）、水平同期信号が入力されるまで待機する。一方、ステップＳ１２の判定において、水平同期信号が入力された場合には、ステップＳ１２をステップＳ１３に分岐して、制御回路２７は、水平同期信号の後に続く信号の中で連続して無信号の部分の幅をｘとしてカウントする（ステップＳ１３）。次に、制御回路２７は、走査線数ｙをインクリメントし（ステップＳ１４）、このインクリメントしたｙが所定の値ｙ１を超えたか否かを判定する（ステップＳ１５）。ここで、所定の値ｙ１は、プロジェクタ２０に入力される信号の形式（ＶＧＡ、ＸＧＡなど）で決まる所定の走査線数である。
【００３９】
ステップＳ１５の判定において、走査線数ｙが所定の値ｙ１を超えていないと判定した場合には、ステップＳ１５をステップＳ１６に分岐して、制御回路２７は、ステップＳ１３でカウントした連続して無信号の部分の幅ｘが所定の幅ｘ０以上であるか否かを判定する（ステップＳ１６）。ステップＳ１６の判定において、連続して無信号の部分の幅ｘが所定の幅ｘ０未満であると判定した場合には、ステップＳ１２に戻る。
【００４０】
一方、ステップＳ１６の判定において、連続して無信号の部分の幅ｘが所定の幅ｘ０以上であると判定した場合には、ｙ０をインクリメントする（ステップＳ１７）。また、１度所定の幅ｘ０以上の幅ｘが検出されると、制御回路２７は、このｘを次のｘ０として（ステップＳ１８）、ステップＳ１２に戻り、次のラインの黒部判定を行う。
【００４１】
以上の処理の後、ステップＳ１５において、走査線数ｙが所定の値ｙ１を超えたと判定した場合には、ステップＳ１５をステップＳ１９に分岐する。このようにして、入力信号の形式（ＶＧＡ、ＸＧＡなど）で決まる所定の走査数ｙ１について、連続して無信号の部分の幅ｘ０と、連続して無信号の部分が検出された走査線数ｙ０とが求まると、制御回路２７は、ｘ０とｙ０の比率が、前述の画像信号の一般的な縦横比（３：４、２：３等）であるか否かを判定する（ステップＳ１９）。ステップＳ１９において、ｘ０とｙ０の比率が、前述の画像信号の一般的な縦横比でないと判定した場合には、ステップＳ１９をステップＳ２０に分岐して、制御回路２７は、画面内において黒部がないと判定する（ステップＳ２０）。一方、ｘ０とｙ０の比率が、前述の画像信号の一般的な縦横比であると判定した場合には、ステップＳ１９をステップＳ２１に分岐して、制御回路２７は、画面内に黒部があると判定する（ステップＳ２１）。
【００４２】
図９は、プロジェクタ２０における画像表示処理の手順について示すフローチャートである。
【００４３】
図１の構成では、ＰＣ１０内部の切り換え部１６を切り換えることにより、ビデオ回路１４の出力を外部出力専用にすれば、プロジェクタ２０でも正しい画像再生を行うことができるが、ユーザはそのことを知らずに使っていることが多い。このような操作は、取り扱い説明書には記載されていても、実際の使用時において必ずしも取扱い説明書が用意されているとは限らず、また、取扱い説明書を見ている暇もない状況なども多い。
【００４４】
そして、プロジェクタ２０によって投影された画面内に真っ黒な部分があると、ユーザは機器が壊れたと思ってコネクタのつなげかえを行う等の様々な事を試みるために、ストレスを感じる事が多い。
【００４５】
そこで、第１の実施形態では、入力された画像信号が画像再生に不適正な信号であるか否かを判定し、不適正な画像信号が入力された場合には、ユーザに対して警告を行うことによって、ユーザに正しい操作（切り換え部６の切り換え）を促すようにして、ユーザのストレスを軽減する。
【００４６】
図９において、制御回路２７は所定形式の画像信号（例えば、コンポジットビデオ信号）の入力があったか否かを判定する（ステップＳ３１）。ステップＳ３１の判定において、画像信号が入力されていないと判定した場合には、ステップＳ３１をステップＳ３２に分岐して、制御回路２７は、ステップＳ１の所定形式を、コンポジットビデオ信号からアナログＲＧＢ信号やデジタルＲＧＢ信号に切り換えて（ステップＳ３２）、ステップＳ３１に戻り、再び画像信号入力の判定を行う。即ち、ステップＳ３２の信号形式切換によって、適切な画像処理方法を選択できる。また、後述する黒部判定は、ここで切り換えられた信号の形式に対応した手法で行うようにする。
【００４７】
ステップＳ３１の判定において、所定形式の画像信号が入力されたと判定した場合には、ステップＳ３１をステップＳ３３に分岐して、制御回路２７は、上記図８で説明した黒部判定の処理を行う（ステップＳ３３）。黒部判定の処理が終了した後、制御回路２７は、ステップＳ３３の黒部判定の結果に基づいて、画面内に黒部が存在するか否かを判定する（ステップＳ３４）。
【００４８】
ステップＳ３４の判定において、黒部が存在すると判定した場合には、ステップＳ３４をステップＳ３５に分岐して、制御回路２７は、画面内において黒部であると判定された部分にメモリ２９内に記録してある警告用の画像をはめこんで入力画像信号の再生を行う（ステップＳ３５）。この結果が、図２に示す投影画面３０中の参照符号３０ａで示す部分である。なお、ステップＳ３５ではめこむ警告用の画像は、ユーザが行うべき操作を指示するための文字表示やグラフィック表示等の画像でよい。
【００４９】
また、ステップＳ３４の判定において、黒部が存在しないと判定した場合には、ステップＳ３４をステップＳ３６に分岐して、制御回路２７は、通常の画像再生の処理を行う（ステップＳ３６）。
【００５０】
ステップＳ３５又はステップＳ３６において、画像が再生された後、制御回路２７は、ユーザによって画像再生終了の指示がなされたか否かを判定し（ステップＳ３７）、画像再生終了の指示がなされていないと判定した場合には、ステップＳ３１に戻る。一方、ステップＳ３７の判定において、画像再生終了の指示がなされたと判定した場合には図９のフローチャートの処理を終了する。
【００５１】
以上説明したように、第１の実施形態によれば、図３（ｂ）の参照符号３０ｄのように、拡大投影画面中に不自然な黒い部分が生じた時に、その黒い部分に表示された操作指示を見ることができ、ユーザは適切な操作をストレスなく行うことができる。これによって、すぐに図３（ａ）のような正しい画面を表示させる事ができる。
【００５２】
ここで、図１０のようなフローチャートに従ったプログラムをＰＣ１０側のＣＰＵ１１に実行させるようにしても良い。この図１０の処理を実行するために、ＰＣ１０とプロジェクタ２０との間で黒部判定の結果を通信可能に構成しておき、プロジェクタ２０において黒部がありと判定された場合には、その結果が黒部あり信号として通信線１７を介してＰＣ１０に送信されるようにしておく。
【００５３】
図１０において、ＣＰＵ１１はプロジェクタ２０側の制御回路２７から黒部あり信号を受信したか否かを判定し（ステップＳ４１）、黒部あり信号を受信したと判定した場合に、モニタ１５上に、図２の参照符号１５ａとして示した警告表示（付加情報表示）を行わせる（ステップＳ４２）。この警告表示は、どのキーを操作すればよいかを指示するための表示とし、この警告表示を見ることによってユーザは、正しい操作を行うことができる。
【００５４】
図１０のような処理を行うことにより、ＰＣなどの装置特有の操作をその装置の仕様に則って具体的に指示することができるので、ユーザは、迷う事なく正しい操作を行うことができるようになる。
【００５５】
［第２の実施形態］
次に、本発明の第２の実施形態について説明する。第１の実施形態においては、無信号部の形状が所定の縦横比の長方形形状であることを黒部判定の基準としているが、第２の実施形態では、無信号部（黒部）が時間的に変化しない事を利用して黒部判定を行うようにしている。なお、構成については、第１の実施形態で説明したものがそのまま適用可能である。
【００５６】
例えば、図３（ａ）のようなプレゼンテーション用の画面では、常に同じ画面を表示させるわけではなく、静止画部分等についても画面の切り換えが行われることが多い。例えば、棒グラフ画像３０ｃの棒が次々に出てくるようにしたり、商品の外観を示す写真画像３０ｂにおいて商品の見る角度を変化させたりして、よりそのデザインの魅力をアピールするような工夫がプレゼンテーションにおいてはなされることがある。
【００５７】
このような画面の切り換えを行ったときでも、常に図３（ｂ）の参照符号３０ｄで示すような黒い画面の部分が存在している場合には、その黒い画面の部分は、何らかの異常が発生したことによって生じた黒部であると考えることができる。
【００５８】
そこで、第２の実施形態では、図１１のようなフローチャートに従った判定を行うことにより、上記のような状況を制御回路２７が判定して図２のような警告表示を出させるようにしている。
【００５９】
即ち、図１１において、制御回路２７は、画像表示時に図８のような黒部判定を行い（ステップＳ５１）、ステップＳ５１の黒部判定の結果に基づいて、画面内に黒部が存在するか否かを判定する（ステップＳ５２）。ステップＳ５２の判定において、黒部が存在しないと判定した場合には、ステップＳ５２をステップＳ５３に分岐して、制御回路２７は、通常の画像再生の処理を行う（ステップＳ５３）。
【００６０】
一方、ステップＳ５２の判定において、黒部が存在すると判定した場合には、ステップＳ５２をステップＳ５４に分岐して、制御回路２７は、静止画部の切り換えが行われたか否かを判定する（ステップＳ５４）。ステップＳ５４の判定において、静止画部の切り換えが行われていないと判定した場合には、ステップＳ５３に移行して、制御回路２７は、通常の画像再生の処理を行う。
【００６１】
一方、ステップＳ５４の判定において、静止画部の切り換えが行われたと判定した場合には、ステップＳ５４をステップＳ５５に移行して、制御回路２７は、上記ステップＳ５１と同様の黒部判定を行い（ステップＳ５５）、ステップＳ５５の黒部判定の結果に基づいて、画面内にステップＳ５２で判定された黒部と同一の黒部が存在するか否かを判定する（ステップＳ５６）。ステップＳ５６の判定において、同一の黒部が存在しないと判定した場合には、ステップＳ５３に移行して、制御回路２７は、通常の画像再生の処理を行う。
【００６２】
一方、ステップＳ５６の判定において、同一の黒部が存在すると判定した場合には、ステップＳ５６をステップＳ５７に分岐して、制御回路２７は、画面内において黒部であると判定された部分にメモリ２９内に記録してある警告用の画像をはめこんで入力画像信号の再生を行う（ステップＳ５７）。
【００６３】
ステップＳ５３又はステップＳ５７において、画像が再生された後、制御回路２７は、ユーザによって画像再生終了の指示がなされたか否かを判定し（ステップＳ５８）、画像再生終了の指示がなされていないと判定した場合には、ステップＳ５１に戻る。一方、ステップＳ５８の判定において、画像再生終了の指示がなされたと判定した場合には図１１のフローチャートの処理を終了する。
【００６４】
以上説明したように、第２の実施形態においては、画面内に種々の変更を行っても何も変化しない黒い部分が残る場合には、異常であると判定するようにしている。ここで、第２の実施形態の手法では、ステップＳ５１で判定した黒部とステップＳ５５で判定した黒部が同一であるか否かを判定すればよいので、黒部の判定において必ずしも縦横比の計算のような処理を行う必要はない。このように、第２の実施形態では第１の実施形態のような処理を行わなくとも、簡単にユーザフレンドリな表示をすることができ、ユーザは、ストレスなく装置を操作することが可能となる。
【００６５】
ここで、図１１の例では、静止画部の切り換えが行われたか否かに応じて２回目の黒部判定を行うようにしているが、黒部判定を所定時間毎に行うようにしても良い。
【００６６】
以上実施形態に基づいて本発明を説明したが、本発明は上記した実施形態に限定されるものではなく、本発明の要旨の範囲内で種々の変形や応用が可能なことは勿論である。例えば、上記した各実施形態では、第１の画像再生装置１０としてノートＰＣを、第２の画像再生装置２０としてフロントプロジェクタを例として説明しているが、これらに限るものではない。例えば、第１の画像再生装置１０はＰＤＡなどでも良いし、第２の画像再生装置２０はＬＣＤモニタ等でも良い。また、第１の画像再生装置１０と第２の画像再生装置２０とを１つの画像再生装置として構成するようにしても良い。
【００６７】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６８】
【図１】本発明の第１の実施形態に係る画像再生システムの構成図である。
【図２】本発明の第１の実施形態に係る画像再生システムが利用される様子を示す図である。
【図３】図３（ａ）及び図３（ｂ）はＰＣとプロジェクタとを接続して動画を再生するときの様子を示す図であって、図３（ａ）は正しく動画が再生されているときの様子を示す図であり、図３（ｂ）は正しく動画が再生されていないときの様子を示す図である。
【図４】図４（ａ）は図３（ａ）のような画像が表示されている時の画像信号波形を示す図であり、図４（ｂ）は図３（ｂ）のような画像が表示されている時の画像信号波形を示す図である。
【図５】画面内における画像信号波形の例を示す図である。
【図６】アナログＲＧＢ信号における黒部判定について説明するための図である。
【図７】デジタルＲＧＢ信号における黒部判定について説明するための図である。
【図８】黒部判定処理の処理手順について示すフローチャートである。
【図９】本発明の第１の実施形態におけるプロジェクタ側の画像表示制御の処理手順について示すフローチャートである。
【図１０】ＰＣ側の警告表示制御の処理手順について示すフローチャートである。
【図１１】本発明の第２の実施形態におけるプロジェクタ側の画像表示制御の処理手順について示すフローチャートである。
【符号の説明】
【００６９】
１０…第１の画像再生装置（ＰＣ）、１１…ＣＰＵ、１２…操作部、１３，２９…メモリ、１４…ビデオ回路、１５…モニタ、１６…切り換え部、１６ａ，２１…コネクタ、１７…通信線、２０…第２の画像再生装置（プロジェクタ）、２２…画像変換回路、２３…画像形成回路、２４…表示素子、２５…ランプ、２５ａ…光源制御回路、２６…投影レンズ、２７…制御回路、２７ａ…スイッチ、２８…黒部検出回路
【図１】
2006065095.tif 000003
【図２】
2006065095.tif 000004
【図３】
2006065095.tif 000005
【図４】
2006065095.tif 000006
【図５】
2006065095.tif 000007
【図６】
2006065095.tif 000008
【図７】
2006065095.tif 000009
【図８】
2006065095.tif 000010
【図９】
2006065095.tif 000011
【図１０】
2006065095.tif 000012
【図１１】
2006065095.tif 000013